(57)【要約】  水素を燃料とする燃料電池自動車を船舶に搭載し、該自動車に搭載した水素によって発生する電力を用い、電動船舶推進船を駆動するシステム。また、水素ないし天然ガスないしLPGを燃料とする内燃機関自動車を船舶に搭載し、水素ないし天然ガスないしLPGを燃料として動く内燃機関を搭載して駆動される船舶に、該自動車の燃料を補給して推進するシステム。これらの方法によって、船舶への供給や運搬を低コストで行った上で利便性を高めるシステムを提供する。また、船舶に搭載した自動車のタイヤ駆動部からの同動力を直接に該船舶の推進駆動部に接続することにより推進力を得て航行する船舶を提供する。  上記３つの方法はそれぞれ、自動車に搭載された自動車側駆動源からのエネルギーの付与、又は自動車側駆動源からの直接的動力伝達によって、船舶側の船舶推進プロペラあるいはジェット推進ポンプを駆動させることを特徴とする。自動車が水素を用いた燃料電池車の場合は、該自動車で発生した電力を該電気推進船舶に用いる。水素ないし天然ガスないしLPGを燃料とする内燃機関自動車を船舶に搭載する場合は、該燃料を直接に、該内燃機関推進船舶の燃料として用いる。  また、別の態様として電気自動車あるいはハイブリッド車、あるいはプラグインハイブリッド車を該船舶に搭載し、該自動車で発生ないし蓄電された電気エネルギー、又は該自動車のタイヤの機械的回転力を用いて該船舶を駆動する船舶推進システム等も含まれる。
2019181301.tif 000002
【特許請求の範囲】
【請求項１】
船舶に自動車を搭載し、該自動車に搭載された燃料を利用して、該船舶に推進力を付与する船舶推進システムであって、
前記船舶に設けられ、回転駆動による駆動力を発生させる船舶側駆動部と、
前記船舶側駆動部で発生させた前記駆動力が伝達されて前記船舶に前記推進力を付与する船舶推進プロペラあるいはジェット推進ポンプと、を備え、
前記船舶側駆動部は、前記自動車に搭載された自動車側駆動源のエネルギーの付与、又は該自動車側駆動源の動力伝達によって、前記船舶推進プロペラあるいは前記ジェット推進ポンプを駆動させることを特徴とする船舶推進システム。
【請求項２】
前記自動車は燃料電池を備える燃料電池車で、前記自動車側駆動源のエネルギー源が燃料電池車搭載水素であり、該燃料電池によって発生した電力によって駆動される船舶推進システムであって、
前記船舶側駆動部は、
前記船舶推進プロペラを回転駆動させる船舶推進用モータと、
前記燃料電池から発生する前記電力が供給されて前記船舶推進用モータの回転駆動動作を制御する船舶推進用モータコントローラと、を備え、
前記船舶推進用モータは、前記燃料電池車に搭載されたモータコントローラを使用して直接駆動できるように構成されていることを特徴とする請求項１に記載の船舶推進システム。
【請求項３】
前記自動車は、蓄電池を有する電気自動車あるいはハイブリッド車、あるいはプラグインハイブリッド車であって、
前記船舶には船舶推進用モータと、該船舶推進用モータの回転駆動動作を制御する船舶推進用モータコントローラと、を備え、該船舶に搭載された電気自動車あるいはハイブリッド車、あるいはプラグインハイブリッド車の蓄電池に貯蔵された電気エネルギーを該船舶に供給することにより、該船舶を電動船として駆動することを特徴とする請求項１に記載の船舶推進システム。
【請求項４】
前記自動車と前記船舶推進用モータコントローラとの間に、前記燃料電池車から発生する電力、又は、電気自動車あるいはハイブリッド車、あるいはプラグインハイブリッド車搭載電力を電圧変換する補助電源となる補機用インバータが前記船舶に設けられることを特徴とする請求項２又は請求項３に記載の船舶推進システム。
【請求項５】
前記自動車と前記船舶推進用モータコントローラとの間に、前記燃料電池車から発生する電力、又は、電気自動車あるいはハイブリッド車、あるいはプラグインハイブリッド車搭載電力を直流から交流に変換するＤＣ−ＡＣインバータと、交流に変換された電力を直流に変換するＡＣ−ＤＣコンバータが更に設けられることを特徴とする請求項２乃至４の何れか１項に記載の船舶推進システム。
【請求項６】
前記船舶は、
前記燃料電池車から供給される前記電力を蓄電する蓄電池と、
前記蓄電池の電圧を検知する蓄電池電圧検知部と、
前記蓄電池電圧検知部の検知結果に基づいて操作される充電制御用の継電装置と、を更に備え、
前記燃料電池車による充電後は、前記蓄電池に蓄電された電力でも前記船舶推進用モータによる船舶推進が可能に構成されることを特徴とする請求項２に記載の船舶推進システム。
【請求項７】
前記自動車は、燃料電池車あるいは天然ガス車あるいはLPG車であり、
前記船舶側駆動部は、前記船舶に搭載される内燃機関エンジンであり、該内燃機関エンジンは、燃料電池車搭載水素あるいは天然ガス車搭載天然ガスあるいはLPG車搭載LPGを燃料として、前記船舶推進プロペラあるいは前記ジェット推進ポンプを駆動させることを特徴とする請求項１に記載の船舶推進システム。
【請求項８】
前記内燃機関エンジンは水素ないし天然ガスないしLPGを燃料とする気体エンジンであり、前記水素ないし前記天然ガスないし前記LPGに前記船舶に搭載された液体燃料を混合させて燃焼運転させることを特徴とする請求項７に記載の船舶推進システム。
【請求項９】
前記自動車は、前記自動車側駆動源が電動機である電気自動車あるいはハイブリッド車、あるいはプラグインハイブリッド車、あるいは燃料電池車であり、
前記船舶側駆動部は、
前記船舶推進プロペラを回転駆動させる船舶推進用モータと、
前記電気自動車あるいはハイブリッド車、あるいはプラグインハイブリッド車、あるいは燃料電池車に貯蔵された電力が供給されて前記船舶推進用モータの回転駆動動作を制御する船舶推進用モータコントローラと、を備え、
前記船舶推進用モータコントローラは、前記電気自動車あるいはハイブリッド車、あるいはプラグインハイブリッド車、あるいは燃料電池車において発生ないし搭載された電気エネルギー源を、ＤＣとして直接、ないしＤＣからＡＣに変換して、接続されるように構成されていることを特徴とする請求項１に記載の船舶推進システム。
【請求項１０】
前記自動車は、前記自動車側駆動源が電動機又は液体燃料エンジンの何れかの自動車であり、
前記船舶側駆動部は、前記自動車のタイヤの回転力を前記船舶推進プロペラに直接伝達する動力伝達機構であることを特徴とする請求項１に記載の船舶推進システム。
【請求項１１】
前記船舶には、エンジンと操舵を遠隔操作する遠隔操作機能が更に設けられ、これら該遠隔操作機能による操舵を操作する操作部が前記自動車に搭載可能に構成されていることを特徴とする請求項１乃至１０の何れか１項に記載の船舶推進システム。
【発明の詳細な説明】
【技術分野】
【０００１】
本発明は、燃料電池車等の自動車が搭載される船舶に推進力を付与する船舶推進システムに関する。本出願は、日本国において２０１８年３月１９日に出願された日本特許出願番号特願２０１８−０５１７１１を基礎として優先権を主張するものであり、この出願は参照されることにより、本出願に援用される。
【背景技術】
【０００２】
水素を燃料とする燃料電池システムは、推進力を確保するための燃焼により排気ガスとして水蒸気のみ発生させ、機械的振動も殆ど見られないことから、極めて環境に優しい電力発生システムとして普及しており、自動車の駆動源として燃料電池を搭載した燃料電池車が開発されている。近年、船舶においても、排出ガスの規制が行われ、かつ、環境に考慮した優れた燃料を用いた船舶推進システムが求められているので、船舶の動力源として燃料電池を使用した燃料電池船の開発が進められている。【０００３】
特許文献１には、燃料電池を電力源として航行する燃料電池船の船体内の居住性を向上させるために、燃料電池に供給する燃料を貯留する燃料タンクを船体外に配置したものが開示されている。一方、特許文献２には、モータの駆動音が騒音として船体内に聞こえることを抑制するために、燃料電池に供給する燃料を貯留する燃料タンクがモータを覆うように並べて配置されるものが開示されている。
【先行技術文献】
【特許文献】
【０００４】
【特許文献１】特開２０１５−１９６４１０号公報
【特許文献２】特開２０１５−１９６４１１号公報
【発明の概要】
【発明が解決しようとする課題】
【０００５】
しかしながら、水素は、気体状態では、７００気圧に圧縮しても、その体積当たりのエネルギーが軽油等の石油に比べ小さい。このため、水素を燃料とする燃料電池システムを船舶に適用して普及させるためには、高気圧の水素供給ステーションを船舶のある岸壁に多数設置する必要があり、その設備の設置や運用維持に多額のコストがかかる。一方、固体や液体の水素を燃料として用いる場合には、比較的容易に燃料として運搬貯蔵が可能であるが、気体水素に戻すための方式や容器のコストの点で技術的にも経済的にも確立されておらず、多くの課題を抱えている。【０００６】
また、燃料として気体水素を充填した高圧ボンベを船舶に積み込む方法による場合は、水中落下した際のリスクが懸念され、水素を燃料とする船舶推進システムにおいては、船舶への水素の供給や運搬が、普及を妨げる大きな要因になっていた。このように、船舶への高利便性の水素供給手段の実現が難しい現状では、燃料電池搭載の燃料電池船の普及が困難であると言える。すなわち、水素を燃料とする船舶推進システムにおいては、船舶への水素の供給や運搬に関して、低コストで利便性が高いものが望まれていた。【０００７】
本発明は、上記課題に鑑みてなされたものであり、船舶への水素等のエネルギー源の供給や運搬を低コストで行った上で利便性を高めることの可能な、新規かつ優れた船舶推進システムを提供することを目的とする。
【課題を解決するための手段】
【０００８】
本発明の一態様は、船舶に自動車を搭載し、該自動車に搭載された燃料を利用して、該船舶に推進力を付与する船舶推進システムであって、前記船舶に設けられ、回転駆動による駆動力を発生させる船舶側駆動部と、前記船舶側駆動部で発生させた前記駆動力が伝達されて前記船舶に前記推進力を付与する船舶推進プロペラあるいはジェット推進ポンプと、を備え、前記船舶側駆動部は、前記自動車に搭載された自動車側駆動源のエネルギーの付与、又は該自動車側駆動源の動力伝達によって、前記船舶推進プロペラを駆動させることを特徴とする。【０００９】
本発明の一態様によれば、自動車に搭載された自動車側駆動源のエネルギーの付与、又は自動車側駆動源の動力の伝達によって、船舶に搭載した船舶側駆動部を介して船舶推進プロペラあるいはジェット推進ポンプを駆動させるので、岸壁等において、船舶に直接水素ガスを充填させる作業や水素ガスを充填させた水素タンクの搭載作業等が不要になる。【００１０】
また、本発明の一態様では、前記自動車は、燃料電池を備える燃料電池車であって、前記燃料電池車を駆動するエネルギー源が燃料電池車搭載水素である。前記船舶側駆動部には、前記燃料電池車の燃料電池から発生する前記電力が供給され、前記船舶は、船舶推進プロペラを回転駆動させる船舶推進用モータと、前記船舶推進用モータの回転駆動動作を制御する船舶推進用モータコントローラと、を備え、前記船舶推進用モータコントローラは、前記燃料電池車に搭載された前記燃料電池で発生した電気エネルギーを直接使用するように構成されていることとしてもよい。【００１１】
このようにすれば、船舶に搭載する燃料電池車の燃料電池から発生する電力をエネルギー源として、船舶を推進させることができるので、船舶に直接水素ガスを充填させる作業や水素ガスを充填させた水素タンクの搭載作業等が不要になる。【００１２】
また、本発明の一態様では、前記自動車は、蓄電池を有する電気自動車あるいはハイブリッド車、あるいはプラグインハイブリッド車であって、前記船舶には船舶推進用モータと、該船舶推進用モータの回転駆動動作を制御する船舶推進用モータコントローラと、を備え、該船舶に搭載された電気自動車あるいはハイブリッド車、あるいはプラグインハイブリッド車の蓄電池に貯蔵された電気エネルギーを該船舶に供給することにより、該船舶を電動船として駆動するようにしてもよい。【００１３】
このようにすれば、船舶に搭載する電気自動車あるいはハイブリッド車、あるいはプラグインハイブリッド車の蓄電池から発生する電力をエネルギー源として、船舶を推進させることができるので、岸壁で充電する設備がなくても船舶の推進に必要な多くの電力を確実に確保することができる。【００１４】
また、本発明の一態様では、前記自動車と前記船舶推進用モータコントローラとの間に、前記燃料電池車から発生する電力、又は、電気自動車あるいはハイブリッド車、あるいはプラグインハイブリッド車搭載電力を電圧変換する補助電源となる補機用インバータが前記船舶に設けられることとしてもよい。【００１５】
このようにすれば、自動車に搭載された燃料電池等から発生した高電圧の電力から、船舶制御用の低電圧の電力に変換して使用することができる。【００１６】
また、本発明の一態様では、前記自動車と前記船舶推進用モータコントローラとの間に、前記燃料電池車から発生する電力、又は、電気自動車あるいはハイブリッド車、あるいはプラグインハイブリッド車搭載電力を直流から交流に変換するＤＣ−ＡＣインバータと、交流に変換された電力を直流に変換するＡＣ−ＤＣコンバータが更に設けられることとしてもよい。【００１７】
このようにすれば、船舶に搭載する燃料電池車等を改造せずに、電気自動車の直流電力から家庭用交流電力を取り出すＶ２Ｈシステム電源等の装置を使用して、容易に該電動船舶を推進させることができる。【００１８】
また、本発明の一態様では、前記船舶は、前記燃料電池車から供給される前記電力を蓄電する蓄電池と、前記蓄電池の電圧を検知する蓄電池電圧検知部と、前記蓄電池電圧検知部の検知結果に基づいて操作される充電制御用の継電装置と、を更に備え、前記燃料電池車による充電後は、前記蓄電池に蓄電された電力でも前記船舶推進用モータによる船舶推進が可能に構成されることとしてもよい。【００１９】
このようにすれば、船舶に搭載した蓄電池も電源として使用できるので、船舶側駆動部へのより安定した電力供給を可能にした上で、燃料電池車の繰り返しの搭載を介して蓄電池に充電させることによって、船舶の長時間推進に必要な多くの電力を確実に確保することができる。【００２０】
また、本発明の一態様では、前記自動車は、燃料電池車あるいは天然ガス車あるいはLPG車であり、前記船舶側駆動部は、前記船舶に搭載される内燃機関エンジンであり、該内燃機関エンジンは、燃料電池車搭載水素あるいは天然ガス車搭載天然ガスあるいはLPG車搭載LPGを燃料として、前記船舶推進プロペラあるいは前記ジェット推進ポンプを駆動させることとしてもよい。【００２１】
このようにすれば、船舶に搭載する車両の燃料をエネルギー源として船舶を推進させることができるので、船舶に対して充填が容易ではない水素、天然ガス、LPG燃料を船舶搭載燃料タンクに充填させる作業や船舶搭載燃料タンク自体搭載が不要になる。【００２２】
また、本発明の一態様では、前記内燃機関エンジンは水素、天然ガス、LPGを燃料とする気体（ガス）エンジンであり、水素、天然ガス、LPGに前記船舶に搭載されたガソリン、軽油、重油等の液体燃料を混合させて使用することとしてもよい。【００２３】
このようにすれば、環境負荷の小さいガス燃料エンジンを搭載した船舶推進システムを、充填の複雑な作業無しで構成することができる。【００２４】
また、本発明の一態様では、前記自動車は、前記自動車側駆動源が電動機である電気自動車あるいはハイブリッド車、あるいはプラグインハイブリッド車、あるいは燃料電池車であり、前記船舶側駆動部は、前記船舶推進プロペラを回転駆動させる船舶推進用モータと、前記電気自動車あるいはハイブリッド車、あるいはプラグインハイブリッド車、あるいは燃料電池車に貯蔵された電力が供給されて前記船舶推進用モータの回転駆動動作を制御する船舶推進用モータコントローラと、を備え、前記船舶推進用モータコントローラは、前記電気自動車あるいはハイブリッド車、あるいはプラグインハイブリッド車、あるいは燃料電池車において発生ないし搭載された電気エネルギー源を、ＤＣとして直接、ないしＤＣからＡＣに変換して、接続されるように構成されていることとしてもよい。【００２５】
このようにすれば、電気自動車あるいはハイブリッド車、あるいはプラグインハイブリッド車、あるいは燃料電池車に搭載されたエネルギー源となる蓄電池の電力を直接使用することによって、船舶の推進に必要な電力を確実に確保することができる。【００２６】
また、本発明の一態様では、前記自動車は、前記自動車側駆動源が電動機又は液体燃料エンジンの何れかの自動車であり、前記船舶側駆動部は、前記自動車のタイヤの回転力を前記船舶推進プロペラに直接伝達する動力伝達機構であることとしてもよい。【００２７】
このようにすれば、動力伝達機構を介して船舶に搭載した自動車のタイヤの回転力で船舶の船舶推進プロペラを直接回転駆動できるので、船舶の推進力を確保できる。【００２８】
また、本発明の一態様では、前記船舶には、エンジンと操舵を遠隔操作する遠隔操作機能が更に設けられ、該遠隔操作機能による操舵を操作する操作部が前記自動車に搭載可能に構成されていることとしてもよい。【００２９】
このようにすれば、船舶に搭載された自動車の運転室を、船舶の操舵室とすることが出来、該遠隔操作部によって、船舶のエンジンと操舵を遠隔操作できるので、搭載させた燃料電池車自体のスペースや車内のエアコンやナビゲーション設備等の有効活用が可能になる。
【発明の効果】
【００３０】
以上説明したように本発明によれば、船舶に搭載した燃料電池車等の自動車のエネルギー源や自動車側駆動源で船舶を直接推進させることができるので、船舶に天然ガス、LPG、水素ガスを充填させる設備や作業や当該ガスを充填させたタンクの搭載作業が不要になる。
【図面の簡単な説明】
【００３１】
【図１】図１Ａ乃至図１Ｄは、本発明の一実施形態に係る船舶推進システムと車両の搭載方法の概略構成を示す説明図である。
【図２】図２は、本発明の一実施形態に係る船舶推進システムの機能構成を示すブロック図である。
【図３】図３は、本発明の一実施形態に係る船舶推進システムの一変形例の機能構成を示すブロック図である。
【図４】図４は、本発明の一実施形態に係る船舶推進システムの他の変形例の機能構成を示すブロック図である。
【図５】図５は、本発明の他の実施形態に係る船舶推進システムの機能構成を示すブロック図である。
【図６】図６Ａは、本発明の更に他の実施形態に係る船舶推進システムの概略構成を示す平面図であり、図６Ｂは、本発明の更に他の実施形態に係る船舶推進システムの概略構成を示す正面図である。
【図７】図７は、本発明の更に他の実施形態に係る船舶推進システムの機能構成を示すブロック図である。
【図８】図８は、本発明の更に他の実施形態に係る船舶推進システムの機能構成を示すブロック図である。
【図９】図９は、本発明の更に他の実施形態に係る船舶推進システムの機能構成を示すブロック図である。
【発明を実施するための形態】
【００３２】
以下、本発明の好適な実施の形態について詳細に説明する。なお、以下に説明する本実施形態は、特許請求の範囲に記載された本発明の内容を不当に限定するものではなく、本実施形態で説明される構成の全てが本発明の解決手段として必須であるとは限らない。
【００３３】
まず、本発明の一実施形態に係る船舶推進システムの概略構成について、図面を使用しながら説明する。図１Ａ乃至図１Ｄは、本発明の一実施形態に係る船舶推進システムと車両の搭載方法の概略構成を示す説明図である。
【００３４】
本発明の一実施形態に係る船舶推進システム１００は、燃料電池車ないし、天然ガス自動車、LPG車、あるいは後述する電気自動車１２０が搭載される船舶１１０に推進力を付与するに際して、船舶１１０に搭載した燃料電池車ないし、天然ガス自動車、LPG車、あるいは後述する電気自動車１２０のエネルギー源を船舶１１０の推進力の付与に使用することを特徴とする。すなわち、本発明の一実施形態に係る船舶推進システム１００は、陸上において、水素充填ないし天然ガス、LPGを充填された車両１２０を船舶１１０に搭載し、その車両１２０搭載の水素によって発生する電力あるいは天然ガスないしLPG燃料を船舶１１０の推進力として使用するシステムである。あるいは、船舶１１０にガソリン、軽油、重油等液体燃料用の内燃機関エンジンを搭載し、該車両に水素ないし天然ガスないしLPGを搭載し、該液体燃料と混合ないし、ガス燃料単独で内燃機関を運転することによって、該船舶を駆動するシステムである。本実施形態では、図１Ａ及び図１Ｂに示すように、船舶１１０の長さ方向（縦方向）に沿って該車両１２０を船舶１１０に搭載させるか、図１Ｃ及び図１Ｄに示すように、船舶１１０の幅方向（横方向）に沿って該車両１２０を船舶１１０に搭載させる。なお、ここに説明した車両搭載方法は例示であって、その実施形態は、特許請求の範囲に記載された本発明の内容を不当に限定するものではない。
【００３５】
本実施形態では、船舶１１０への燃料電池車ないし、天然ガス自動車、LPG車１２０の搭載は、燃料電池車ないし、天然ガス自動車、LPG車１２０の自走、又はクレーンによる該車両１２０の移動によって、任意の方向に該車両１２０を船舶１１０の船体に搭載する。船体が比較的大きい場合には、燃料電池車ないし、天然ガス自動車、LPG車１２０の自走により燃料電池車１２０を船舶１１０に搭載する。一方、船体が比較的小さい場合には、燃料電池車ないし、天然ガス自動車、LPG車１２０に一方向から乗船すると、船舶１１０の船体の反対側が浮き上がって危険が伴う場合があるので、かかる危険を避けるため、クレーンで直接、燃料電池車１２０の全荷重を船舶１１０の甲板に乗せるようにしている。
【００３６】
次に、本発明の一実施形態に係る船舶推進システムの機能構成について、図面を使用しながら説明する。図２は、本発明の一実施形態に係る船舶推進システムの機能構成を示すブロック図である。なお、図２は燃料電池車の場合を例に説明している。
【００３７】
本発明の一実施形態に係る船舶推進システム１００は、燃料電池車１２０が搭載される船舶１１０に推進力を付与するに際して、船舶１１０に搭載した燃料電池車１２０の燃料電池１２１から起電する電力をエネルギー源として、船舶１１０の推進力の付与に使用することを特徴とする。すなわち、本実施形態では、水素を陸上の水素供給ステーションにおいて充填した燃料電池車１２０そのものを船舶１１０に搭載して、燃料電池車１２０に搭載された水素によって燃料電池１２１から起電する電力によって船舶１１０の船上で電力を発生させ、船舶１１０の駆動電力として使用しながら、船舶１１０側に設けられる補機用インバータ１１９を介して制御電源等の補助電力を賄うことを特徴とする。
【００３８】
船舶１１０には、船舶側駆動部１１２で発生させた駆動力が伝達されて回転駆動することによって船舶１１０に推進力を付与する船舶推進プロペラ１１１と、回転駆動による駆動力を発生させて船舶推進プロペラ１１１に回転駆動力を付与する船舶側駆動部１１２が設けられている。船舶推進プロペラの代わりにジェット推進ポンプを使用してもよい。本実施形態では、船舶推進システム１００は、燃料電池車１２０搭載の水素燃料によって燃料電池１２１で発生する電力によって船舶１１０の推進力が付与される。
【００３９】
このため、船舶側駆動部１１２には、船舶推進プロペラ１１１を回転駆動させる船舶推進用モータ１１３と、燃料電池１２１から発生する電力が供給されて船舶推進用モータ１１３の回転駆動動作を制御する船舶推進用モータコントローラ１１４が設けられている。これによって、船舶推進用モータコントローラ１１４は、燃料電池車１２０に搭載された燃料電池１２１から発生する電力により作動するようになる。なお、本実施形態では、船舶１１０と燃料電池車１２０の電気的接続に関しては、例えば、燃料電池車１２０ないし再該船舶に設けられる不図示のインバータによる直流交流電力変換器を介した接続用端子から船舶１１０への給電を行うか、燃料電池車１２０に搭載された燃料電池１２１から直接直流電力を取るための不図示の端子が船舶１１０に設けられることによって行われる。
【００４０】
船舶１１０に搭載される燃料電池車１２０には、図２に示すように、燃料電池１２１、水素タンク１２２、水素注入口１２３、蓄電池１２４、モータコントローラ１２５、及びモータ１２６が設けられている。燃料電池車１２０では、水素注入口１２３から水素タンク１２２に水素を７００気圧程度の高圧に圧縮された状態になるように水素供給ステーションで充填される。
【００４１】
燃料電池車１２０は、通常、搭載された燃料電池１２１が水素タンク１２２から供給される水素を空気中の酸素と反応させることによって電力を発生させ、その電力をモータコントローラ１２５に供給することによって、モータコントローラ１２５が燃料電池車１２０の自動車側駆動源となるモータ１２６を駆動させて車輪で走行する。本発明の一実施形態に係る船舶推進システム１００が適用される燃料電池車１２０が搭載された船舶１１０の動作としては、燃料電池１２１で発生した電力を船舶１１０に搭載された船舶推進用モータコントローラ１１４と船舶推進用モータ１１３に供給して、船舶推進プロペラ１１１の回転駆動によって燃料電池船として航行する。なお、船舶１１０に搭載される電力推進に使用される船舶推進用モータコントローラ１１４や船舶推進用モータ１１３は、それぞれ複数個搭載してもよい。また、船舶推進プロペラの代わりにジェット推進ポンプを使用してもよい。
【００４２】
また、本実施形態では、燃料電池１２１で発生させた電力の一部は、車内に搭載した蓄電池１２４に蓄電され、当該蓄電池１２４に蓄電された電力も船舶１１０に搭載された船舶推進用モータコントローラ１１４と船舶推進用モータ１１３に供給して、船舶推進プロペラ１１１の駆動に使用することが出来る。すなわち、陸上を走行する燃料電池車１２０では、モータ１２６の駆動のための電力が搭載された燃料電池１２１によって発生し、モータ１２６を駆動すると共に、該燃料電池車に搭載された蓄電池１２４にその一部のエネルギーを貯蔵される。そして、蓄電池１２４に貯蔵された電気エネルギーも船舶１１０の推進に利用できるようになっている。なお、水素タンク１２２から燃料電池１２１との間には、水素タンク１２２内の高圧の水素を減圧するための不図示の減圧器が設けられている。
【００４３】
また、本実施形態では、例えば、燃料電池車１２０に搭載された燃料電池１２１から発生した比較的高電圧大電力を使用する自動車駆動用電力から、船舶１１０内のラジオや船舶方向変化用スラスター等に使用する比較的低電圧な電力に変換するために、燃料電池１２１と船舶推進用モータコントローラ１１４との間には、燃料電池１２１から発生する電力を電圧変換する補助電源となる補機用インバータ１１９が設けられている。すなわち、船舶１１０の駆動電力以外の必要電力を使用するために、船舶用補助電源が必要となる場合があるので、本実施形態では、燃料電池１２１と船舶推進用モータコントローラ１１４との間に、補機用インバータ１１９が設けられている。
【００４４】
このように、本実施形態では、燃料電池車１２０を搭載した船舶１１０の航行時には、燃料電池車１２０に搭載された燃料電池１２１によって発電を行うと共に、燃料電池車１２０に搭載された蓄電池１２４に蓄電された電気エネルギーによる充放電補助を受けることも可能である。そして、船舶１１０に搭載された船舶推進用モータコントローラ１１４を介して電動の船舶推進用モータ１１３を駆動し、船舶推進プロペラ１１１によって推進するようになる。
【００４５】
従来の燃料電池船は、岸壁における水素ガスの船舶へ供給のための高価な水素中移転ステーションの設置や、水素ガスタンクの危険な積み込み作業等が必要であった。本発明によれば、燃料電池船に水素燃料を確保するための、船舶１１０に水素ガスを充填させる作業や水素を充填させた燃料タンクとなる水素タンクの搭載作業が不要になるので、船舶１１０への水素の供給や運搬を低コストで行った上で利便性を高めることが実現される。また、本実施形態では、船舶１１０の航行によって水素がほぼ使用され尽くした場合には、燃料電池車１２０を下船させて、陸上の水素充填ステーションで水素充填をした後に、再び当該燃料電池車１２０を船舶１１０に上船させて、船舶１１０の推進駆動を行うことを繰り返し行えるようになる。本発明によって、水素のかわりに該船舶が天然ガスやLPGで航走する場合も同様の利点がもたらされる。
【００４６】
また、本発明の一実施形態に係る船舶推進システム１００では、自動車１２０として蓄電池を有する電気自動車あるいはハイブリッド車、あるいはプラグインハイブリッド車を用いることも可能である。この場合も、上述したように蓄電池１２４に蓄電された電力を船舶１１０に搭載された船舶推進用モータコントローラ１１４と船舶推進用モータ１１３に供給して、船舶推進プロペラ１１１の駆動に使用することが出来る。なお、電気自動車あるいはハイブリッド車、あるいはプラグインハイブリッド車の場合には、図２において、燃料電池１２１、水素タンク１２２、水素注入口１２３は、不要であったり、ガソリン注入口、ガソリンタンク、ガソリンエンジンによる充電機構などに置き換えられることは言うまでもない。
【００４７】
なお、本発明の一実施形態に係る船舶推進システム１００は、燃料電池車１２０に搭載された燃料電池１２１と蓄電池１２４以外に、船舶１１０に更に蓄電池を搭載して、より安定な船舶推進を実現可能としてもよい。以下、本発明の一実施形態に係る船舶推進システム１００の一変形例について、図面を使用しながら説明する。図３は、本発明の一実施形態に係る船舶推進システムの一変形例の機能構成を示すブロック図である。
【００４８】
本実施形態の一変形例に係る船舶推進システム２００では、図３に示すように、船舶２１０には、燃料電池２２１から供給される電力を蓄電する蓄電池となる船舶搭載蓄電池２１５と、当該船舶搭載蓄電池２１５の電圧を検知する蓄電池電圧検知部２１６と、蓄電池電圧検知部２１６の検知結果に基づいて操作される継電装置２１７が設けられている。このため、船舶推進用モータコントローラ２１４は、船舶搭載蓄電池２１５に蓄電された電力でも作動できるようになっている。このため、船舶２１０に搭載した蓄電池２１５も電源として使用できるので、船舶側駆動部２１２へのより安定した電力供給が可能になる。
【００４９】
また、本実施形態では、船舶推進用モータコントローラ２１４を使用せずに、当該燃料電池車２２０が具備するモータ２２６の駆動用のモータコントローラ２２５を使用して、船舶推進用モータ２１３を駆動しても良い。その際に、船舶速度制御は、燃料電池車２２０が具備する速度制御用アクセレレータ２２８を操作して行っても良い。
【００５０】
船舶２１０に搭載の船舶推進用モータコントローラ２１４を使用する際には、燃料電池車２２０に備わる不図示の自動充電量制御装置によって、燃料電池車２２０に搭載の蓄電池２２４と船舶２１０に搭載の蓄電池２１５に対して、航行中又は停泊中に任意に充電することが出来るようになる。その際に、燃料電池車２２０に搭載の蓄電池２２４、及び船舶２１０に搭載の蓄電池２１５の充電が完了した場合に、充電回路を遮断して、過充電にならないようにして蓄電池２１５を二重に保護するために、蓄電池電圧検知部２１６とその電圧によって操作される充電制御用の継電装置２１７を設置しても良い。
【００５１】
なお、本実施形態の一変形例に係る船舶推進システム２００に備わる船舶推進プロペラ２１１、船舶側駆動部２１２、補機用インバータ２１９、及び燃料電池車２２０に備わる他の構成要素の構成及び作用は、本発明の一実施形態に係る船舶推進システム１００に備わるものと同様なので、その説明については、省略する。
【００５２】
また、本実施形態の一変形例に係る船舶推進システム２００では、図４に示すように、燃料電池車２２０の燃料電池２２１と船舶推進用モータコントローラ２１４との間に、燃料電池２２１から発生する電力を直流から交流に変換するＤＣ−ＡＣインバータ２１８と、交流に変換された電力を直流に変換するＡＣ−ＤＣコンバータ２１８ａが更に設けられるようにしてもよい。このように構成することによって、燃料電池車２２０から家庭用AC電力を得るためのＶ２Ｈシステム電源等の汎用インバータ装置を使用することが出来るようになる。燃料電池車２２０に搭載された燃料電池２２１から出力される、例えば２００Ｖ以上の高電圧の直流を例えば２００Ｖの交流に変換してから、再度、船上で直流に変換するので、船舶２１０に搭載する燃料電池車２２０を改造せずに、容易に船舶２１０を推進させることができる。なお、該船舶は、従来電動船で行われている不図示の陸上の系統電力等からの外部充電が可能であることは言うまでもない。ＤＣ−ＡＣインバータ２１８とＡＣ−ＤＣコンバータ２１８ａは、船舶側と車両側のいずれに設けられていてもよい。すなわち、ＤＣ−ＡＣインバータ２１８とＡＣ−ＤＣコンバータ２１８ａの両方が船舶側に設けられている場合、ＤＣ−ＡＣインバータ２１８は車両側に設けられＡＣ−ＤＣコンバータ２１８ａは船舶側に設けられている場合、ＤＣ−ＡＣインバータ２１８とＡＣ−ＤＣコンバータ２１８ａの両方が車両側に設けられている場合のいずれでもよい。
【００５３】
さらに、本発明の一実施形態に係る船舶推進システム１００は、船舶１１０に搭載する燃料電池車１２０の燃料電池１２１から発生する電力をエネルギー源として船舶１１０を推進させているが、当該燃料電池１２１に供給される水素ガスを直接エネルギー源として船舶１１０を推進させるようにしてもよい。また、燃料電池車１００のかわりに、天然ガス車、LPG車を使用してもよい。以下、本発明の他の実施形態に係る船舶推進システムについて、図面を使用しながら説明する。図５は、本発明の他の実施形態に係る船舶推進システムの機能構成を示すブロック図である。なお、図５は、燃料電池車の場合を示したものであるが、天然ガス車、LPG車の場合は、図５中の水素タンク３２２、水素注入口３２３は、天然ガスタンク、天然ガス注入口、及び、LPGタンク、LPG注入口に置き換えられる。また、燃料電池車３２０の代わりに天然ガス車ないしLPG車が搭載されたシステムでは、燃料電池車固有の燃料電池３２１、蓄電池３２４、モータコントローラ３２５、モータ３２６が使用されていないことは言うまでもない。
【００５４】
本発明の他の実施形態に係る船舶推進システム３００は、燃料電池車３２０が搭載される船舶３１０に推進力を付与するに際して、船舶３１０に搭載した燃料電池車３２０の燃料電池３２１に供給される水素をエネルギー源として、船舶３１０の推進力の付与に使用することを特徴とする。すなわち、本実施形態では、陸上の燃料供給ステーションにおいて充填した燃料電池車３２０搭載の水素燃料そのものを、直接内燃機関エンジン３１２の燃料として供給することによって、内燃機関エンジン３１２を運転させ、その動力で船舶推進プロペラ３１１を駆動させて、船舶３１０に推進力を与えていることを特徴とする。その際、燃料電池車３２０の代わりに天然ガス車ないしLPG車を該船舶に搭載し、これら気体燃料を内燃機関エンジン３１２に供給し、その動力で推進してもよい。内燃機関エンジン３１２としては、例えば、水素燃料エンジンであり、このときは燃料は水素となるし、天然ガス車では天然ガスエンジン、LPG車ではLPGエンジンとなる。
【００５５】
また、本実施形態では、内燃機関エンジン３１２に発電機３１８が機械的に接続されているので、内燃機関エンジン３１２の駆動力を活用して、発電機３１８で電力を発生させられるようになっている。すなわち、発電機３１８は、燃料電池車３２０が搭載した該気体燃料によって、船舶３１０に搭載した内燃機関エンジン３１２によって発電するシステムを構成している。このように、発電機３１８で発生させた電力は、船舶３１０内の各種装置の電力として使用される。
【００５６】
このように、本実施形態では、船舶３１０に搭載する燃料電池車３２０の燃料電池３２１に供給される燃料（水素ガス、天然ガス、LPG）をエネルギー源として船舶３１０を推進させることができるので、船舶３１０に燃料（水素ガス、天然ガス、LPG）を充填させる作業や燃料を充填させた該船舶への単独の燃料タンクの搭載や充填設備が不要になる。また、本実施形態では、内燃機関エンジン３１２は、燃料に船舶３１０に搭載された液体燃料タンク３１３から切替バルブ３１４を介してガソリン、軽油、重油等の石油燃料からなる液体燃料を混合させて、当該内燃機関エンジン３１２の燃料としてもよい。
【００５７】
すなわち、本実施形態では、船舶３１０に搭載された燃料電池車３２０の燃料（水素ガス、天然ガス、LPG）を利用して、ガソリン、軽油、重油等の石油燃料との混合、又は該気体燃料単独で運転される内燃機関エンジン３１２により、船舶推進プロペラ３１１を直接駆動することにより航行できるようになる。換言すると、陸上の燃料供給ステーションにおいて燃料（ガソリン、軽油、重油等）を充填した燃料電池車３２０を船舶３１０に搭載し、その充填された燃料を利用して、軽油等の石油燃料と混合して、又は水素ガス、天然ガス、LPG単独で燃料として使用することによって、内燃機関エンジン３１２を運転する。そして、その動力によって船舶推進プロペラ３１１を直接駆動することによって、船舶３１０を航行できる。なお、本実施形態に係る船舶推進システム３００に備わる燃料電池車３２０に備わる構成要素の構成及び作用は、本発明の一実施形態に係る船舶推進システム１００に備わるものと同様なので、その説明については、省略する。
【００５８】
また、図６Ａ及び図６Ｂに示すように、船舶推進システム４００は、船舶４１０にオートパイロット４１９が更に設けられ、当該オートパイロット４１９の操舵を操作する操作部４１６が燃料電池車ないし天然ガス車ないしLPG車、あるいは電気自動車４２０に搭載可能に構成されていることとしてもよい。このようにすれば、該車両の空間を有効に使用することができるとともに、該車両搭載設備の併用が可能になる。
【００５９】
本実施形態では、図６Ａ及び図６Ｂに示すように、船舶４１０の前方側に燃料電池車４２０を搭載して、燃料電池車４２０の後方に船舶推進プロペラ４１１を駆動する船舶推進用モータ４１３と船舶推進用モータコントローラ４１４、船舶搭載蓄電池４１５、補助発電機４１８、操舵制御部４１７、及び舵となるオートパイロット４１９がそれぞれ設けられている。このような構成とすることによって、船舶４１０のエンジンと操舵を遠隔操作する遠隔操作機能を有する操作部４１６を燃料電池車４２０に乗せて、操舵操作を燃料電池車４２０の車内から行えるようになる。なお、ここに説明した車両搭載方法は例示であって、その実施形態は、特許請求の範囲に記載された本発明の内容を不当に限定するものではない。
【００６０】
このようにすることによって、燃料電池車４２０自体のスペースを船舶４１０の乗船部分にすることができる。また、燃料電池車４２０内は、雨天時でも車内に備え付けのワイパーやデフロスタ、ナビゲーション設備等を使用できるので、船舶４１０での操舵が容易になる。さらに、燃料電池車４２０の空調設備を使用して、より快適な環境下での運転が可能になる。
【００６１】
すなわち、燃料電池車等の搭載車両４２０に搭載された船舶４１０のエンジンと操舵を遠隔操作する遠隔操作機能を有する操作部４１６によって、船舶４１０のオートパイロット４１９を操作できるので、搭載させた燃料電池車４２０自体のスペースや設備が有効活用されるようになる。なお、本実施形態における船舶４１０のエンジンと操舵を遠隔操作する操作部４１６に関しては、船舶４１０に搭載する自動車が燃料電池車以外の電気自動車や液体燃料エンジン自動車等にも適用可能である。
【００６２】
さらに、前述した本発明の各実施形態に係る船舶推進システム１００、２００、３００、４００では、燃料電池車１２０、２２０、３２０、４２０の燃料タンクとなる水素タンク１２２、２２２、３２２に水素を充填させてから船舶１１０、２１０、３１０、４１０への燃料電池車１２０、２２０、３２０、４２０の搭載のサイクルを繰り返すことにより、燃料電池車１２０、２２０、３２０、４２０から船舶１１０、２１０、３１０、４１０にエネルギー源を供給することとしてもよい。また、燃料電池車の代わりに天然ガス車、LPG車を搭載し、同様の燃料供給サイクル運転を行ってもよい。
【００６３】
例えば、市販の１台の燃料電池車では、水素５ｋｇを搭載して約１６５ｋＷｈの熱量のエネルギーを有しており、燃料電池の効率が約５０％とした場合に、約８０ｋＷｈの電気エネルギーを搭載していることになる。このため、船舶の全長が約１０ｍの場合では、燃料電池車の水素を１回充填することによって、８ｋｍ／ｈで８時間程度の航行が可能となる。このため、更に長時間の航行を実現させるために、燃料電池車の繰り返しの搭載と船舶搭載電池２１５の容量増加を介して船舶の推進に必要なより多くの電力を確保することができる。
【００６４】
すなわち、船舶に大容量の蓄電池を搭載し、船舶が停泊中に水素充填ステーションと当該船舶間の繰り返し往復により、船舶搭載の当該蓄電池を充電してもよい。また、該車両が天然ガス車の場合は天然ガス充填ステーションとの往復になり、LPG車の場合はLPG充填ステーションとの往復になることは言うまでもない。このとき、自動車から停泊中の船舶への充電においては、従来から行われている陸上からの系統電力による充電と同様、自動車は、船舶に搭載せず、船舶の近傍の陸上から充電を行ってもよい。また、車両によって必要量の充電が完了した後に船舶が出航する際には、当該燃料電池車ないし天然ガス車ないしLPG車が船舶に搭載されていない状態で航行してもよい。
【００６５】
このように、船舶での航行用及び船舶補機電源用の電力として水素を使用した燃料電池車１２０、２２０、３２０、４２０は、下船して陸上の水素充填ステーションにて再度水素を充填して、再び船舶１１０、２１０、３１０、４１０に乗船して、燃料電池船としての電力を供給するように、燃料電池車の繰り返しの搭載を介して船舶の推進に必要な多くの電力を確実に確保することができる。該車両が天然ガス車やLPG車の場合も同様である。
【００６６】
なお、前述した本発明の各実施形態に係る船舶推進システム１００、２００、３００、４００では、船舶１１０、２１０、３１０、４１０に搭載した燃料電池車１２０、２２０、３２０、４２０のエネルギー源を当該船舶の推進駆動に使用したものとなっているが、船舶に搭載する自動車は、燃料電池車に限定されず、電気自動車やハイブリッド車、プラグインハイブリッド車、天然ガスエンジン、ＬＰＧエンジン、液体燃料エンジンで駆動する通常の自動車にも適用可能である。
【００６７】
例えば、図７に示すように、本発明の更に他の実施形態に係る船舶推進システム５００では、船舶５１０に搭載する自動車５２０は、自動車側駆動源が電動機となるモータ５２６である電気自動車としている。本実施形態では、電気自動車５２０に搭載した蓄電池５２４に蓄電された電力をそのまま船舶５１０の船舶側駆動部５１２の船舶推進用モータコントローラ５１４に供給することによって、船舶推進用モータ５１３を介して船舶推進プロペラ５１１を回転駆動させている。すなわち、本実施形態では、電気自動車５２０に搭載された蓄電池５２４をエネルギー源として直接使用することによって、船舶５１０の推進に必要な電力を確実に確保できるようになっている。なお、本実施形態では、船舶５１０側に設けられる補機用インバータ５１９を介して制御電源等の補助電力を賄うようになっている。
【００６８】
また、本実施形態では、船舶５１０に大容量の蓄電池を搭載し、船舶５１０が停泊中に電気自動車充填ステーションと当該船舶間の繰り返し往復によって、船舶５１０に搭載された蓄電池を充電してもよい。このとき、電気自動車５２０から停泊中の船舶５１０への充電においては、電気自動車５２０は、船舶５１０に搭載せずに、その近傍の陸上から充電を行ってもよい。これによって、船舶停泊先に具備すべき急速充電ステーションが不必要となり、電動船舶の実用性が高められる。また、該車両によって必要量の充電が完了した後に、船舶５１０が出航する際には、当該電気自動車５２０が船舶５１０に搭載されていない状態で航行してもよい。
【００６９】
また、図８に示すように、本発明の更に他の実施形態に係る船舶推進システム６００は、電気自動車ないしハイブリッド車、プラグインハイブリッド車、燃料電池車６２０の自動車側駆動源となるモータ６２６によって回転駆動するタイヤ６２８の回転力を利用して、船舶６１０の船舶推進プロペラ６１１を回転駆動させるようにしてもよい。具体的には、ギアやカム等から構成される動力伝達機構６１２が船舶推進プロペラ６１１を回転駆動させる船舶側駆動部として機能して、電気自動車６２０のタイヤ６２８の回転力を船舶推進プロペラ６１１に直接伝達することによって、船舶６１０の推進力を確保できる。
【００７０】
さらに、図９に示すように、船舶推進システム７００は、ガソリン等の液体燃料で駆動する液体燃料エンジン７２１を自動車側駆動源とする自動車７２０を船舶７１０に搭載した場合には、液体燃料エンジン７２１によって回転駆動するタイヤ７２８の回転力を利用して、船舶７１０の船舶推進プロペラ７１１を回転駆動させる。具体的には、ギアやカム等から構成される動力伝達機構７１２が船舶推進プロペラ７１１を回転駆動させる船舶側駆動部として機能して、自動車７２０のタイヤ７２８の回転力を船舶推進プロペラ７１１に直接伝達することによって、船舶７１０の推進力を確保できる。
【００７１】
以上説明したように、本発明の各実施形態によれば、船舶に搭載した燃料電池車等の自動車の自動車側駆動源のエネルギー付与、又は当該自動車側駆動源の動力伝達によって船舶を推進させることができるので、船舶に水素ガスを充填させる作業や当該水素ガスを充填させた燃料タンクの搭載が不要になる。
【００７２】
すなわち、本発明の各実施形態では、高圧水素タンク・燃料電池及び蓄電池を個別に搭載して燃料電池船を構成する従来の方式に比べて、高額な水素充填ステーションを個別船舶のために設置する必要がなくなる。すなわち、燃料電池車は、燃料電池船と比べて、格段に普及率が進展しているので、燃料電池車に充填したエネルギー源をそのまま用いることによって、従来の燃料電池船にはない高利便性を有した低コストな船舶推進システムを提供できるようになる。電気自動車ないしハイブリッド車、プラグインハイブリッド車の場合も同じ効用がもたらされる。
【００７３】
このため、現時点では、普及が遅れている燃料電池船の画期的な普及を図り、排ガスを出さないクリーンな水素推進船を世界に提供することが可能になるので、結果として、船舶の快適性と高効率性を両立させた電動式の船舶を大量に普及させることが実現される。このように本発明の各実施形態に係る船舶推進システムは、船舶関連産業の今後の新たな発展に多大な貢献が期待できるので、極めて大きな工業的価値を有する。
【００７４】
なお、上記のように本発明の各実施形態について詳細に説明したが、本発明の新規事項及び効果から実体的に逸脱しない多くの変形が可能であることは、当業者には、容易に理解できるであろう。従って、このような変形例は、全て本発明の範囲に含まれるものとする。
【００７５】
例えば、明細書又は図面において、少なくとも一度、より広義又は同義な異なる用語と共に記載された用語は、明細書又は図面のいかなる箇所においても、その異なる用語に置き換えることができる。また、船舶推進システムの構成、動作も本発明の各実施形態で説明したものに限定されず、種々の変形実施が可能である。
【符号の説明】
【００７６】
１００、２００、３００、４００、５００、６００、７００  船舶推進システム、１１０、２１０、３１０、４１０、５１０、６１０、７１０  船舶、１１１、２１１、３１１、４１１、５１１、６１１、７１１  船舶推進プロペラ、１１２、２１２、５１２  船舶側駆動部、１１３、２１３  船舶推進用モータ、１１４、２１４、４１４、５１４  船舶推進用モータコントローラ、１１９、２１９、５１９  補機用インバータ、１２０、２２０、３２０、４２０  自動車（燃料電池車あるいは天然ガス車あるいはLPG車）、１２１、２２１、３２１  燃料電池、１２２、２２２、３２２  水素タンク、１２４、２２４、３２４、５２４、６２４  蓄電池、１２６、２２６、３２６、５２６、６２６  モータ、２１５、４１５  （船舶搭載）蓄電池、２１６  蓄電池電圧検知部、２１７  継電装置、２１８  ＤＣ−ＡＣインバータ、２１８ａ  ＡＣ−ＤＣコンバータ、３１２  内燃機関エンジン、４１６  操作部、５２０、６２０  自動車（電気自動車）、６１２、７１２  動力伝達機構、７２０  自動車（液体燃料エンジン自動車）
【図１】
2019181301.tif 000003
【図２】
2019181301.tif 000004
【図３】
2019181301.tif 000005
【図４】
2019181301.tif 000006
【図５】
2019181301.tif 000007
【図６】
2019181301.tif 000008
【図７】
2019181301.tif 000009
【図８】
2019181301.tif 000010
【図９】
2019181301.tif 000011
【手続補正書】
【提出日】令和1年8月29日(2019.8.29)
【手続補正１】
【補正対象書類名】特許請求の範囲
【補正対象項目名】全文
【補正方法】変更
【補正の内容】
【特許請求の範囲】
【請求項１】
船舶に自動車を搭載し、該自動車に搭載された燃料を利用して、該船舶に推進力を付与する船舶推進システムであって、
前記船舶に設けられ、回転駆動による駆動力を発生させる船舶側駆動部と、
前記船舶側駆動部で発生させた前記駆動力が伝達されて前記船舶に前記推進力を付与する船舶推進プロペラあるいはジェット推進ポンプと、を備え、
前記船舶側駆動部は、前記自動車に搭載された自動車側駆動源のエネルギーの付与、又は該自動車側駆動源の動力伝達によって、前記船舶推進プロペラあるいは前記ジェット推進ポンプを駆動させることを特徴とする船舶推進システム。
【請求項２】
前記自動車は燃料電池を備える燃料電池車で、前記自動車側駆動源のエネルギー源が燃料電池車搭載水素であり、該燃料電池によって発生した電力によって駆動される船舶推進システムであって、
前記船舶側駆動部は、
前記船舶推進プロペラを回転駆動させる船舶推進用モータと、
前記燃料電池から発生する前記電力が供給されて前記船舶推進用モータの回転駆動動作を制御する船舶推進用モータコントローラと、を備え、
前記船舶推進用モータは、前記燃料電池車に搭載されたモータコントローラを使用して直接駆動できるように構成されていることを特徴とする請求項１に記載の船舶推進システム。
【請求項３】
前記自動車は、蓄電池を有する電気自動車あるいはハイブリッド車、あるいはプラグインハイブリッド車であって、
前記船舶には船舶推進用モータと、該船舶推進用モータの回転駆動動作を制御する船舶推進用モータコントローラと、を備え、該船舶に搭載された電気自動車あるいはハイブリッド車、あるいはプラグインハイブリッド車の蓄電池に貯蔵された電気エネルギーを該船舶に供給することにより、該船舶を電動船として駆動することを特徴とする請求項１に記載の船舶推進システム。
【請求項４】
前記自動車と前記船舶推進用モータコントローラとの間に、前記燃料電池車から発生する電力、又は、電気自動車あるいはハイブリッド車、あるいはプラグインハイブリッド車搭載電力を電圧変換する補助電源となる補機用インバータが前記船舶に設けられることを特徴とする請求項２又は請求項３に記載の船舶推進システム。
【請求項５】
前記自動車と前記船舶推進用モータコントローラとの間に、前記燃料電池車から発生する電力、又は、電気自動車あるいはハイブリッド車、あるいはプラグインハイブリッド車搭載電力を直流から交流に変換するＤＣ−ＡＣインバータと、交流に変換された電力を直流に変換するＡＣ−ＤＣコンバータが更に設けられることを特徴とする請求項２乃至４の何れか１項に記載の船舶推進システム。
【請求項６】
前記船舶は、
前記燃料電池車から供給される前記電力を蓄電する蓄電池と、
前記蓄電池の電圧を検知する蓄電池電圧検知部と、
前記蓄電池電圧検知部の検知結果に基づいて操作される充電制御用の継電装置と、を更に備え、
前記燃料電池車による充電後は、前記蓄電池に蓄電された電力でも前記船舶推進用モータによる船舶推進が可能に構成されることを特徴とする請求項２に記載の船舶推進システム。
【請求項７】
前記自動車は、燃料電池車あるいは天然ガス車あるいはＬＰＧ車であり、
前記船舶側駆動部は、前記船舶に搭載される内燃機関エンジンであり、該内燃機関エンジンは、燃料電池車搭載水素あるいは天然ガス車搭載天然ガスあるいはＬＰＧ車搭載ＬＰＧを燃料として、前記船舶推進プロペラあるいは前記ジェット推進ポンプを駆動させることを特徴とする請求項１に記載の船舶推進システム。
【請求項８】
前記内燃機関エンジンは水素ないし天然ガスないしＬＰＧを燃料とする気体エンジンであり、前記水素ないし前記天然ガスないし前記ＬＰＧに前記船舶に搭載された液体燃料を混合させて燃焼運転させることを特徴とする請求項７に記載の船舶推進システム。
【請求項９】
前記自動車は、前記自動車側駆動源が電動機である電気自動車あるいはハイブリッド車、あるいはプラグインハイブリッド車、あるいは燃料電池車であり、
前記船舶側駆動部は、
前記船舶推進プロペラを回転駆動させる船舶推進用モータと、
前記電気自動車あるいはハイブリッド車、あるいはプラグインハイブリッド車、あるいは燃料電池車に貯蔵された電力が供給されて前記船舶推進用モータの回転駆動動作を制御する船舶推進用モータコントローラと、を備え、
前記船舶推進用モータコントローラは、前記電気自動車あるいはハイブリッド車、あるいはプラグインハイブリッド車、あるいは燃料電池車において発生ないし搭載された電気エネルギー源を、ＤＣとして直接、ないしＤＣからＡＣに変換して、接続されるように構成されていることを特徴とする請求項１に記載の船舶推進システム。
【請求項１０】
前記自動車は、前記自動車側駆動源が電動機又は液体燃料エンジンの何れかの自動車であり、
前記船舶側駆動部は、前記自動車のタイヤの回転力を前記船舶推進プロペラに直接伝達する動力伝達機構であることを特徴とする請求項１に記載の船舶推進システム。
【請求項１１】
前記船舶には、エンジンと操舵を遠隔操作する遠隔操作機能が更に設けられ、これら該遠隔操作機能による操舵を操作する操作部が前記自動車に搭載可能に構成されていることを特徴とする請求項１乃至１０の何れか１項に記載の船舶推進システム。
【請求項１２】
船舶にモータ駆動の自動車を搭載し、該自動車に搭載された燃料を利用して、該船舶に推進力を付与する船舶推進システムであって、
前記船舶に設けられ、回転駆動による駆動力を発生させる船舶側駆動部と、
前記船舶側駆動部で発生させた前記駆動力が伝達されて前記船舶に前記推進力を付与する船舶推進プロペラと、
前記船舶推進プロペラを回転駆動させる船舶推進用モータと、
前記燃料電池から発生する前記電力が供給されて前記船舶推進用モータの回転駆動動作を制御する船舶推進用モータコントローラと、を備え、
前記船舶側駆動部は、前記自動車に搭載された自動車側駆動源のエネルギーの付与、又は該自動車側駆動源の動力伝達によって、前記船舶推進プロペラを駆動させ、
前記船舶推進用モータは、前記自動車に搭載されたモータコントローラを使用して直接駆動できるように構成されていることを特徴とする船舶推進システム。
【手続補正書】
【提出日】令和2年3月17日(2020.3.17)
【手続補正１】
【補正対象書類名】特許請求の範囲
【補正対象項目名】全文
【補正方法】変更
【補正の内容】
【特許請求の範囲】
【請求項１】
人の移動を主目的とする船舶に自動車を搭載し、排ガスの少ない航行環境を提供し、該自動車に搭載された燃料を利用して、該船舶に推進力を付与するとともに、該自動車が適宜選択した陸上の燃料充填施設と該船舶間を必要に応じ繰り返し往復することにより、燃料を再充填して繰り返し搭載することで該船舶推進のためのエネルギーを効率よく確実に確保することが可能な利便性の高い船舶推進システムであって、
前記船舶に設けられ、回転駆動による駆動力を発生させる船舶側駆動部と、
前記船舶側駆動部で発生させた前記駆動力が伝達されて前記船舶に前記推進力を付与する船舶推進プロペラあるいはジェット推進ポンプと、を備え、
前記船舶側駆動部は、前記自動車に搭載された自動車側駆動源のエネルギーの付与、又は該自動車側駆動源の動力伝達によって、前記船舶推進プロペラあるいは前記ジェット推進ポンプを駆動させることを特徴とする船舶推進システム。
【請求項２】
前記自動車は燃料電池を備える燃料電池車で、前記自動車側駆動源のエネルギー源が燃料電池車搭載水素であり、該燃料電池によって発生した電力によって駆動される船舶推進システムであって、
前記船舶側駆動部は、
前記船舶推進プロペラを回転駆動させる船舶推進用モータと、
前記燃料電池から発生する前記電力が供給されて前記船舶推進用モータの回転駆動動作を制御する船舶推進用モータコントローラと、を備え、
前記船舶推進用モータは、前記燃料電池車に搭載されたモータコントローラを使用して直接駆動できるように構成されていることを特徴とする請求項１に記載の船舶推進システム。
【請求項３】
前記自動車は、蓄電池を有する電気自動車あるいはハイブリッド車、あるいはプラグインハイブリッド車であって、
前記船舶には船舶推進用モータと、該船舶推進用モータの回転駆動動作を制御する船舶推進用モータコントローラと、を備え、該船舶に搭載された電気自動車あるいはハイブリッド車、あるいはプラグインハイブリッド車の蓄電池に貯蔵された電気エネルギーを該船舶に供給することにより、該船舶を電動船として駆動することを特徴とする請求項１に記載の船舶推進システム。
【請求項４】
前記自動車と前記船舶推進用モータコントローラとの間に、前記燃料電池車から発生する電力、又は、電気自動車あるいはハイブリッド車、あるいはプラグインハイブリッド車搭載電力を電圧変換する補助電源となる補機用インバータが前記船舶に設けられることを特徴とする請求項２又は請求項３に記載の船舶推進システム。
【請求項５】
前記自動車と前記船舶推進用モータコントローラとの間に、前記燃料電池車から発生する電力、又は、電気自動車あるいはハイブリッド車、あるいはプラグインハイブリッド車搭載電力を直流から交流に変換するＤＣ−ＡＣインバータと、交流に変換された電力を直流に変換するＡＣ−ＤＣコンバータが更に設けられることを特徴とする請求項２乃至４の何れか１項に記載の船舶推進システム。
【請求項６】
前記船舶は、
前記燃料電池車から供給される前記電力を蓄電する蓄電池と、
前記蓄電池の電圧を検知する蓄電池電圧検知部と、
前記蓄電池電圧検知部の検知結果に基づいて操作される充電制御用の継電装置と、を更に備え、
前記燃料電池車による充電後は、前記蓄電池に蓄電された電力でも前記船舶推進用モータによる船舶推進が可能に構成されることを特徴とする請求項２に記載の船舶推進システム。
【請求項７】
前記自動車は、燃料電池車あるいは天然ガス車あるいはＬＰＧ車であり、
前記船舶側駆動部は、前記船舶に搭載される内燃機関エンジンであり、該内燃機関エンジンは、燃料電池車搭載水素あるいは天然ガス車搭載天然ガスあるいはＬＰＧ車搭載ＬＰＧを燃料として、前記船舶推進プロペラあるいは前記ジェット推進ポンプを駆動させることを特徴とする請求項１に記載の船舶推進システム。
【請求項８】
前記内燃機関エンジンは水素ないし天然ガスないしＬＰＧを燃料とする気体エンジンであり、前記水素ないし前記天然ガスないし前記ＬＰＧに前記船舶に搭載された液体燃料を混合させて燃焼運転させることを特徴とする請求項７に記載の船舶推進システム。
【請求項９】
前記自動車は、前記自動車側駆動源が電動機である電気自動車あるいはハイブリッド車、あるいはプラグインハイブリッド車、あるいは燃料電池車であり、
前記船舶側駆動部は、
前記船舶推進プロペラを回転駆動させる船舶推進用モータと、
前記電気自動車あるいはハイブリッド車、あるいはプラグインハイブリッド車、あるいは燃料電池車に貯蔵された電力が供給されて前記船舶推進用モータの回転駆動動作を制御する船舶推進用モータコントローラと、を備え、
前記船舶推進用モータコントローラは、前記電気自動車あるいはハイブリッド車、あるいはプラグインハイブリッド車、あるいは燃料電池車において発生ないし搭載された電気エネルギー源を、ＤＣとして直接、ないしＤＣからＡＣに変換して、接続されるように構成されていることを特徴とする請求項１に記載の船舶推進システム。
【請求項１０】
前記自動車は、前記自動車側駆動源が電動機又は液体燃料エンジンの何れかの自動車であり、
前記船舶側駆動部は、前記自動車のタイヤの回転力を前記船舶推進プロペラに直接伝達する動力伝達機構であることを特徴とする請求項１に記載の船舶推進システム。
【請求項１１】
前記船舶には、エンジンと操舵を遠隔操作する遠隔操作機能が更に設けられ、これら該遠隔操作機能による操舵を操作する操作部が前記自動車に搭載可能に構成されていることを特徴とする請求項１乃至１０の何れか１項に記載の船舶推進システム。
【請求項１２】
船舶にモータ駆動の自動車を搭載し、該自動車に搭載された燃料を利用して、該船舶に推進力を付与する船舶推進システムであって、
前記船舶に設けられ、回転駆動による駆動力を発生させる船舶側駆動部と、
前記船舶側駆動部で発生させた前記駆動力が伝達されて前記船舶に前記推進力を付与する船舶推進プロペラと、
前記船舶推進プロペラを回転駆動させる船舶推進用モータと、
前記燃料電池から発生する前記電力が供給されて前記船舶推進用モータの回転駆動動作を制御する船舶推進用モータコントローラと、を備え、
前記船舶側駆動部は、前記自動車に搭載された自動車側駆動源のエネルギーの付与、又は該自動車側駆動源の動力伝達によって、前記船舶推進プロペラを駆動させ、
前記船舶推進用モータは、前記自動車に搭載されたモータコントローラを使用して直接駆動できるように構成されていることを特徴とする船舶推進システム。
【国際調査報告】
2019181301.tif 000012
2019181301.tif 000013
2019181301.tif 000014
2019181301.tif 000015